(57)【要約】【課題】オリジナルのフォトカードの提供が可能で、購入者の購入意欲を掻き立てるフォトカード提供システムを提供する。【解決手段】フォトカード提供システム１は、携帯通信端末２と、サーバ３と、カード印刷端末４と、を備え、携帯通信端末２は、サーバ３へのアクセス手段２１と、画像データのアップロード手段２２と、認証コードのコード受信手段２３と、を有し、サーバ３は、認証コードを付与する付与手段３１と、認証コードを送信する送信手段３２と、画像データをカード印刷端末４へ送信する転送手段３３と、を有し、カード印刷端末４は、認証コードの入力手段４１と、認証コードのコード送信手段４２と、画像データを受信する受信手段４３と、様々な写真が一面に印刷された複数のカードがランダムな順番で保管される収容手段４４と、受信した画像データをカードの他面に印刷する印刷手段４５と、を有している。【選択図】図１
0003227728.tif 000002
【実用新案登録請求の範囲】
【請求項１】
インターネットを介して通信可能な携帯通信端末と、サーバと、カード印刷端末と、を備え、
前記携帯通信端末は、
前記カード印刷端末に表示された前記サーバのＵＲＬを基に前記サーバにアクセスするアクセス手段と、
前記サーバにアクセス完了後、前記携帯通信端末に保存された画像データを前記サーバに送信するアップロード手段と、
前記アップロード手段で前記画像データの送信完了後、前記サーバから送信される認証コードを受信するコード受信手段と、を有し、
前記サーバは、
前記携帯通信端末から前記画像データを受信すると、前記画像データに前記認証コードを付与する付与手段と、
前記認証コードを前記携帯通信端末に送信する送信手段と、
前記認証コードを前記カード印刷端末より受信すると、前記認証コードが付与された前記画像データを、前記カード印刷端末へ送信する転送手段と、を有し、
前記カード印刷端末は、
前記認証コードを入力するための入力手段と、
前記入力手段により入力された前記認証コードを前記サーバに送信するコード送信手段と、
前記サーバより転送される前記画像データを受信する受信手段と、
前記カード印刷端末が設置される場所に関連した様々な写真が予め一面にそれぞれ印刷された複数のカードがランダムな順番で保管される収容手段と、
前記受信手段より前記画像データが受信されると、受信した前記画像データを前記収容手段より供給された１枚のカードの他面に印刷する印刷手段と、を有することを特徴とするフォトカード提供システム。
【請求項２】
前記カード印刷端末は、前記サーバより受信したテーマ画像を表示する画面表示部を備え、
前記サーバは、複数の前記カード印刷端末を事業者毎に分類するテーブルを備え、
所定の期間間隔で、前記サーバは、前記テーブルを参照して一つの前記事業者に属する複数の前記カード印刷端末を指定して、現在前記画面表示部に表示されているテーマ画像とは異なるテーマ画像を、指定された前記カード印刷端末に向けて送信することを特徴とする請求項１に記載のフォトカード提供システム。
【請求項３】
前記カード販売端末に表示された前記サーバのＵＲＬは、二次元バーコードで表示されていることを特徴とする請求項１又は２に記載のフォトカード提供システム。
【請求項４】
前記複数のカードは、多数の一般カードと少数のレアカードで構成され、前記収容手段には、前記多数の一般カードと、前記少数のレアカードがシャッフルされてランダムな順番で保管されていることを特徴とする請求項１〜３何れか一項に記載のフォトカード提供システム。
【考案の詳細な説明】
【技術分野】
【０００１】
本発明は、スポーツ選手や芸能人の写真が印刷されたフォトカードの提供システムに関する。
【背景技術】
【０００２】
従来より、フォトカードは、サッカー，野球等のスポーツ選手や芸能人を題材としており、何十〜何百種類ものカードが、例えば、自動販売機で販売されている。この自動販売機は、スタジアムや、映画館等に設置されており、購入を希望するカードが選択され、支払が行われると、その選択されたカードを提供するものである。
【先行技術文献】
【特許文献】
【０００３】
【特許文献１】特開２００２−３２４２６５号公報
【考案の概要】
【考案が解決しようとする課題】
【０００４】
このようなフォトカードは、同じカットの写真が印刷されたカードが複数存在し、希少性が乏しかった。また、購入を希望する写真が印刷されたフォトカードが提供されるので、フォトカードの購入意欲を掻き立てることができなかった。
【０００５】
そこで本発明は、同じカットの写真が印刷されていながら、購入者オリジナルのフォトカードが購入可能で、購入意欲を掻き立てるフォトカード提供システムを提供することを目的としている。
【課題を解決するための手段】
【０００６】
上記課題を解決するため、本発明のフォトカード提供システムは、インターネットを介して通信可能な携帯通信端末と、サーバと、カード印刷端末と、を備え、前記携帯通信端末は、前記カード印刷端末に表示された前記サーバのＵＲＬを基に前記サーバにアクセスするアクセス手段と、前記サーバにアクセス完了後、前記携帯通信端末に保存された画像データを前記サーバに送信するアップロード手段と、前記アップロード手段で前記画像データの送信完了後、前記サーバから送信される認証コードを受信するコード受信手段と、を有し、前記サーバは、前記携帯通信端末から前記画像データを受信すると、前記画像データに前記認証コードを付与する付与手段と、前記認証コードを前記携帯通信端末に送信する送信手段と、前記認証コードを前記カード印刷端末より受信すると、前記認証コードが付与された前記画像データを、前記カード印刷端末へ送信する転送手段と、を有し、前記カード印刷端末は、前記認証コードを入力するための入力手段と、前記入力手段により入力された前記認証コードを前記サーバに送信するコード送信手段と、前記サーバより転送される前記画像データを受信する受信手段と、前記カード印刷端末が設置される場所に関連した様々な写真が予め一面にそれぞれ印刷された複数のカードがランダムな順番で保管される収容手段と、前記受信手段より前記画像データが受信されると、受信した前記画像データを前記収容手段より供給された１枚のカードの他面に印刷する印刷手段と、を有している。
【考案の効果】
【０００７】
本発明のフォトカード提供システムによると、オリジナルのフォトカードの提供が可能で、購入者の購入意欲を掻き立てることができる。
【図面の簡単な説明】
【０００８】
【図１】本実施形態のフォトカード提供システムの全体構成を示すブロック図である。
【図２】本実施形態の画像テーブルを示す図である。
【図３】本実施形態の事業者テーブルを示す図である。
【図４】本実施形態のカード印刷端末を示す図であり、（ａ）は正面図、（ｂ）は右側面図である。
【図５】本実施形態のフォトカードを示す図であり、（ａ）は一般カード、（ｂ）はレアカードを示す図である。
【図６】本実施形態の携帯通信端末のアップロード処理を示すフローチャートである。
【図７】本実施形態のサーバのアップロード処理を示すフローチャートである。
【図８】（ａ）〜（ｆ）は、本実施形態の携帯通信端末に表示される画面を示す図である。
【図９】本実施形態のカード印刷端末の出力処理を示すフローチャートである。
【図１０】本実施形態のサーバの出力処理を示すフローチャートである。
【図１１】（ａ）〜（ｃ）は、本実施形態のカード印刷端末に表示される画面を示す図である。
【考案を実施するための形態】
【０００９】
以下、本発明の実施形態に係るフォトカード提供システム１を詳細に説明する。図１に示すように、フォトカード提供システム１は、インターネット５を介して通信可能な携帯通信端末２と、サーバ３と、カード印刷端末４と、を備えている。これら携帯通信端末２と、カード印刷端末４は、無線でインターネット５に接続され、サーバ３は有線でインターネット５に接続されている。
【００１０】
携帯通信端末２は、スマートフォンが好ましく使用され、アクセス手段２１と、アップロード手段２２と、コード受信手段２３とを、備えている。アクセス手段２１は、スマートフォン内蔵の２次元バーコード読み取りアプリ（不図示）と、ブラウザ（不図示）とで構成され、アップロード手段２２と、コード受信手段２３は、ブラウザで構成されている。
【００１１】
サーバ３は、携帯通信端末２のアップロード手段２２から送信された画像データに認証コードを付与する付与手段３１と、認証コードをコード受信手段２３に送信する送信手段３２と、画像データをカード印刷端末４へ送信する転送手段３３と、を備えている。またサーバ３は、認証コードが記録される画像テーブル３４と、複数あるカード印刷端末４を事業者毎に分類する事業者テーブル３５と、を備えている。
【００１２】
付与手段３１は、携帯通信端末２のアップロード手段２２から送信された画像データに認証コードを付与している。これは、図２に示すように、携帯通信端末２から画像データが送られてくると、画像テーブル３４に画像データの画像名と送られてきた日の日付とともに、認証コードＲが記録される。この認証コードＲは、５桁の数字で構成される。そして付与手段３１は、、画像データが送られてきた順に認証コードＲをインクリメントすることにより画像データ一つ一つに異なるコードを付与している。この画像テーブル３４では、日付も記録されているので、この日付を参照し、例えば記録された日から一日経過すると、前日に記録された画像データを削除することにより、個人情報が外部に漏れることを防止している。
【００１３】
送信手段３２は、携帯通信端末２より画像データを受信し、付与手段３１により認証コードＲが付与されると、その認証コードＲを含むhtmlデータを携帯通信端末２へと送信す
る。転送手段３３は、カード印刷端末４から認証コードＲを受信すると、画像テーブル３４を参照して認証コードＲと同一レコード内の画像名を取得し、その画像名の画像データを含むhtmlデータを認証コードＲを送ってきたカード印刷端末４に送信する。
【００１４】
図３に示すように、事業者テーブル３５は、複数あるカード印刷端末４を事業者毎に分類するものであり、事業者毎にそれぞれテーブル３５ａ，３５ｂ，３５ｃを備えている。これらテーブル３５ａ〜３５ｃでは、カード印刷端末４のＩＰアドレスと、カード印刷端末４が設置された場所が記録されている。
【００１５】
再び図１に戻り、カード印刷端末４は、認証コードＲを入力するための入力手段４１と、認証コードＲをサーバ３に送信するコード送信手段４２と、転送手段３３より送信された画像データを受信する受信手段４３と、フォトカードが保管された収容手段４４と、フォトカードに画像データを印刷する印刷手段４５と、テーマ画像が表示される画面表示部４６と、を備えている。
【００１６】
このカード印刷端末４は、スポーツのチームの場合は、スタジアムやクラブハウスに設置され、芸能人の場合は、主演する映画の映画館や、舞台の劇場等に設置される。図４に示すように、カード印刷端末４は、ボックス型となっており、その上部にタッチパネル形式の入力手段４１と、テーマ画像を表示する画面表示部４６が取り付けられ、その下部には、クレジットカード挿入口４７と、フォトカード取り出し口４８と、収容手段４４が取り付けられている。入力手段４１と、画面表示部４６は、一体のタッチパネルで構成されても良い。この画面表示部４６には、カード印刷端末４を設置した事業者のテーマ画像が表示されている。事業者がサッカーのクラブチームである場合は、クラブのエンブレムや、試合の画像がテーマ画像として表示されている。このテーマ画像は、広告・宣伝のものであっても良い。
【００１７】
コード送信手段４２と受信手段４３は、カード印刷端末４に備えられたブラウザ（不図示）で構成される。コード送信手段４２は、予めサーバ３から、認証コードを送信可能なフォームを含むhtmlデータを受信し、そのhtmlデータをブラウザで表示し、認証コードがフォームに入力されると、その認証コードをサーバ３に送信するものである。受信手段４３は、サーバ３から画像データを含むhtmlデータを受信するものである。
【００１８】
収容手段４４には、カード印刷端末４がサッカーのクラブチームにより設置される場合は、図５に示すような、選手の写真が印刷されたプラスチック製の一般カード６１とレアカード６２とが保管されている。レアカード６２は、一般カード５１と一目で判別できるように光沢のプラスチックカードに選手が印刷されている。一般カード６１とレアカード６２ともに同一又は異なる写真が前面に印刷されたカードが複数存在しており、一般カード６１は多数、レアカード６２は少数、収容手段４６に人の手でシャッフルされてランダムな順番で積み上げられている。これにより、どのフォトカード６がフォトカード取り出し口４８から出てくるかわからないようになっている。
【００１９】
印刷手段４５は、プラスチック製のカードに印刷可能なＵＶ印刷が用いられる。これにより、油性印刷に比べてフォトカード６の乾燥時間を縮めることができ、フォトカードが出力される時間を短縮することができる。また、皮膜の強度が強いためキズが付きにくく
、艶とより高い耐摩性が得られるので、高クォリティーで美しい永久保存のフォトカー
ドを提供することができる。
【００２０】
続いて、フォトカード提供システム１のフォトカード提供処理を以下に説明する。まず、携帯通信端末２とサーバ３との間で行われる画像データアップロード処理を、図６〜８を用い、続いてカード印刷端末４とサーバ３との間で行われるフォトカード出力処理を、
図９〜１１を用いて説明する。
【００２１】
まず、携帯通信端末２の二次元バーコード読み取りアプリを起動し（ＳＰ０１）、スタジアムに設置されたカード印刷端末４の入力手段４１に表示された二次元バーコードＢを、二次元バーコード読み取りアプリで読み取る（ＳＰ０２、図８（ａ）参照）。読み取りが完了すると、サーバ３のＵＲＬが表示されるので、そのＵＲＬを用いてサーバ３にブラウザでアクセスする（ＳＰ０３）。
【００２２】
図７に示すように、携帯通信端末２からアクセスされるとサーバ３は、画像データがアップロード可能なフォームを含むhtmlデータを携帯通信端末２へ送信する（ＳＳ０１）。再び図６に戻り、携帯通信端末２は、サーバ３からhtmlデータを受信すると、図８（ｂ）に示すような画面を表示し、該当欄をタップさせることにより、携帯通信端末２内に保存された画像データを選択させ（図８（ｃ）参照）、選択された画像データＩＭＧを画面上に表示させる（ＳＰ０４、図８（ｄ）参照）。この後、購入者のスワイプ動作で画像データＩＭＧの位置の修正指示、ピンチ動作で画像データＩＭＧの拡大・縮小の修正指示を受けると、それら修正指示に従い画像を修正する（ＳＰ０５、図８（ｅ）参照）。画像修正が完了し、画面上の完了ボタンが押されると（ＳＰ０６）、修正された画像データＩＭＧをサーバ３にアップロードする（ＳＰ０７）。
【００２３】
サーバ３は、図７に示すように、htmlデータ送信後、画像データＩＭＧがアップロードされるまで待機する（ＳＳ０２）。画像データＩＭＧがアップロードされると、画像データＩＭＧを保存する（ＳＳ０３）。この後、付与手段３１は、画像データＩＭＧが保存されると、認証コードＲをインクリメントすることで、新たな認証コードを付与する。この認証コードの付与とは、画像テーブル３４に、画像データＩＭＧの画像名と、アップロードされた日付とともに、新たな認証コードＲを一つのレコードとして画像テーブル３４に記録する（ＳＳ０４）というものである。記録が完了すると、携帯通信端末２に、付与された認証コードＲを含むhtmlデータを送信し（ＳＳ０５）、終了する。
【００２４】
図６に示すように、携帯通信端末２は、サーバ３から認証コードＲを受信するまで待機し（ＳＰ０８）、認証コードＲを受信すると、認証コードＲが分かるよう、ブラウザで画面上に認証コードＲを表示し（ＳＰ０９、図８（ｆ）参照）、終了する。
【００２５】
続いて、認証コードＲが携帯通信端末２に表示されると、購入者は、フォトカードを購入するため、図４に示すカード印刷端末４のフォトカード出力ボタンＰを押すこととなる。フォトカード出力ボタンＰが押されると、図９，図１１（ａ）に示すようにカード印刷端末４の入力手段４１により、認証コード入力欄を画面上に表示させ（ＳＫ０１）、認証コードの入力を促す。認証コードＲが入力されるまで待機し（ＳＫ０２）、認証コードＲが入力され、確認ボタンが押されると、コード送信手段４２によりサーバ３へ認証コードＲを送信する（ＳＫ０３）。
【００２６】
サーバ３は、図１０に示すように、認証コードを受信するまで待機し（ＳＴ０１）、カード印刷端末４から認証コードＲを受信すると、画像テーブル３４を検索して受信した認証コードＲと同一レコード内の画像名を取得する（ＳＴ０２）。次に、転送手段３３は、当該画像名の画像データＩＭＧを、認証コードＲを送信したカード印刷端末４に転送して（ＳＴ０３）、処理を終える。
【００２７】
再び図９に戻り、カード印刷端末４は、画像データＩＭＧが受信されるまで待機し（ＳＫ０４）、画像データＩＭＧを受信すると入力手段４１の右側に画像データＩＭＧを表示する（ＳＫ０５，図１１（ｂ）参照）。画像データＩＭＧが正しいものであり、確認ボタンが押されると（ＳＫ０６）、支払方法の選択画面を入力手段４１に表示する（ＳＫ０７
）。支払が完了すると（ＳＫ０８）、収容手段４４から積み上げられたフォトカード６のうち、一番下にあるカード６を一枚取り出し、印刷手段４５によりカード背面に画像データＩＭＧをプリントして、フォトカード取り出し口４８からフォトカード６を排出する（ＳＫ０９）。
【００２８】
本実施形態のフォトカード提供システム１では、フォトカードにスポーツの選手や芸能人が前面に印刷されるとともに自分の所有する画像を背面に印刷するので、世界でたった一枚のオリジナルのフォトカードを提供することができる。特に、スタジアムで試合中の写真を取り、それをフォトカードに印刷できるので、記念となるフォトカードを提供することができる。
【００２９】
また、希望する写真が印刷されたフォトカードを購入者が選択して購入するのではなく、ランダムな順番で保管された中から１枚取り出すので、トレーディングカードのように購入意欲を掻き立てることができる。そして多数の一般カード６１の中に少数のレアカード６２が紛れ込んでいるので、このレアカード６２を引き当てることも購入者の楽しみとなる。
【００３０】
本実施形態のフォトカード提供システム１では、サーバ３に画像データをアップロードし、認証コードをカード印刷端末に入力してサーバ３から画像データが転送されることとなる。それにより、携帯通信端末２とカード印刷端末４とを直接接続する場合に比べて、bluetooth端子や、接続ケーブルをカード印刷端末４に設ける必要が無く、カード印刷端
末４をシンプルで低コストにすることができる。
【００３１】
このカード印刷端末４は、無線でサーバ３と接続されるので、電源があればどこにでも設置することができ、スタジアムの様々な場所に設置することができる。また、携帯通信端末２で画像データＩＭＧの修正を行うので、カード印刷端末４の操作は、認証コードＲの入力等シンプルなタッチ操作とすることが可能で、購入者を煩わせることが無い。また、カード印刷端末４の入力手段４１では、二次元バーコードＢが表示されているので、その二次元バーコードＢを読み取って、サーバ３のＵＲＬを入手することができ、ＵＲＬを打ち込む必要が無い。
【００３２】
なお、図１１（ｃ）に示す支払い方法では、スタジアム等の売店で、クーポンを発行し、そのクーポンに記載された番号を入力手段４１に入力することで、フォトカード６を購入することも可能である。
【００３３】
次に本実施形態のフォトカード提供システム１では、事業者テーブル３５を備えているので、事業者テーブル３５を参照し、一つの事業者に属する複数のカード印刷端末４を指定して、現在画面表示部４６に表示されているテーマ画像とは異なるテーマ画像を、指定されたカード印刷端末に向けて送信することができる。例えば、サッカーのシーズンが変わる毎に、テーブル３５ａに記録された複数のカード印刷端末４のＩＰアドレス宛てに、一括してそのシーズンに合ったテーマ画像を送信したり、テーブル３５ｃを参照して、映画館で上映されているシネマが変わる毎に、その上映されている映画のテーマ画像を、各映画館に対し一括して送信することで、画面表示部４６に表示されているテーマ画像を変更することができる。テーマ画像が広告・宣伝の場合は、所定期間経過後、事業者毎に一括して次の広告・宣伝に変更することができる。
【符号の説明】
【００３４】
１    フォトカード提供システム
２    携帯通信端末
２１  アクセス手段
２２  アップロード手段
２３  コード受信手段
３    サーバ
３１  付与手段
３２  送信手段
３３  転送手段
３４  画像テーブル
３５  事業者テーブル
３５ａ〜３５ｃ  各事業者のテーブル
４  カード印刷端末
４１  入力手段
４２  コード送信手段
４３  受信手段
４４  収容手段
４５  印刷手段
４６  画面表示部
４７  クレジットカード挿入口
４８  フォトカード取り出し口
６    フォトカード
６１  一般カード
６２  レアカード
Ｂ    二次元バーコード
ＩＭＧ  画像データ
Ｒ    認証コード
【図１】
0003227728.tif 000003
【図２】
0003227728.tif 000004
【図３】
0003227728.tif 000005
【図４】
0003227728.tif 000006
【図５】
0003227728.tif 000007
【図６】
0003227728.tif 000008
【図７】
0003227728.tif 000009
【図８】
0003227728.tif 000010
【図９】
0003227728.tif 000011
【図１０】
0003227728.tif 000012
【図１１】
0003227728.tif 000013
【手続補正書】
【提出日】令和2年6月17日(2020.6.17)
【手続補正１】
【補正対象書類名】実用新案登録請求の範囲
【補正対象項目名】全文
【補正方法】変更
【補正の内容】
【実用新案登録請求の範囲】
【請求項１】
インターネットを介して通信可能な携帯通信端末と、サーバと、カード印刷端末と、を備え、
前記携帯通信端末は、
前記カード印刷端末に表示された前記サーバのＵＲＬを基に前記サーバにアクセスするアクセス手段と、
前記サーバにアクセス完了後、前記携帯通信端末に保存された画像データを前記サーバに送信するアップロード手段と、
前記アップロード手段で前記画像データの送信完了後、前記サーバから送信される認証コードを受信するコード受信手段と、を有し、
前記サーバは、
前記携帯通信端末から前記画像データを受信すると、前記画像データに前記認証コードを付与する付与手段と、
前記認証コードを前記携帯通信端末に送信する送信手段と、
前記認証コードを前記カード印刷端末より受信すると、前記認証コードが付与された前記画像データを、前記カード印刷端末へ送信する転送手段と、を有し、
前記カード印刷端末は、
前記認証コードを入力するための入力手段と、
前記入力手段により入力された前記認証コードを前記サーバに送信するコード送信手段と、
前記サーバより転送される前記画像データを受信する受信手段と、
前記カード印刷端末が設置される場所に関連した様々な写真が予め一面にそれぞれ印刷された複数のカードがランダムな順番で保管される収容手段と、
前記受信手段より前記画像データが受信されると、受信した前記画像データを前記収容手段より供給された１枚のカードの他面に印刷する印刷手段と、を有することを特徴とするフォトカード提供システム。
【請求項２】
前記カード印刷端末は、前記サーバより受信したテーマ画像を表示する画面表示部を備え、
前記サーバは、複数の前記カード印刷端末を事業者毎に分類するテーブルを備え、
所定の期間間隔で、前記サーバは、前記テーブルを参照して一つの前記事業者に属する複数の前記カード印刷端末を指定して、現在前記画面表示部に表示されているテーマ画像とは異なるテーマ画像を、指定された前記カード印刷端末に向けて送信することを特徴とする請求項１に記載のフォトカード提供システム。
【請求項３】
前記カード印刷端末に表示された前記サーバのＵＲＬは、二次元バーコードで表示されていることを特徴とする請求項１又は２に記載のフォトカード提供システム。
【請求項４】
前記複数のカードは、多数の一般カードと少数のレアカードで構成され、前記収容手段には、前記多数の一般カードと、前記少数のレアカードがシャッフルされてランダムな順番で保管されていることを特徴とする請求項１〜３何れか一項に記載のフォトカード提供システム。